(57)【特許請求の範囲】
【請求項１】
再現色プロファイルにおける、プロセスインキの制御値の組合せであるプロセスインキ組合せと特色インキの制御値の組合せである特色インキ組合せとからなるインキ組合せによる再現色の測色値を補正する再現色プロファイル補正システムであり、
前記インキ組合せにおけるプロセスインキ組合せに対応して予測した再現色の測色値である予測測色値と、当該プロセスインキ組合せに対応するカラーチャートの再現色を測定した測色値である測定測色値との差分である差分測色値を算出する差分測色値算出部と、
前記差分測色値により前記インキ組合せにおける再現色の予測測色値を補正する測色値補正部と、
前記インキ組合せにおいて、特色インキの網点面積率毎に、所定の色空間に分布する、プロセスインキ組合せのプロセスインキそれぞれの制御値が異なる組合せの測色値を包含する包含領域を抽出する包含領域抽出部と、
前記特色インキの制御値毎に、前記差分測色値に乗ずる調整係数を、前記包含領域の大きさに基づいて算出する調整係数算出部と
を備えることを特徴とする再現色プロファイル補正システム。
【請求項２】
再現色プロファイルにおける、プロセスインキの制御値の組合せであるプロセスインキ組合せと特色インキの制御値の組合せである特色インキ組合せとからなるインキ組合せによる再現色の測色値を補正する再現色プロファイル補正システムであり、
前記インキ組合せのうちプロセスインキ組合せのみに対応して予測した再現色の測色値である予測測色値と、当該プロセスインキ組合せに対応するカラーチャートの再現色を測定した測色値である測定測色値との差分である差分測色値を算出する差分測色値算出部と、
前記差分測色値により前記インキ組合せにおける再現色の予測測色値を補正する測色値補正部と、
を備えることを特徴とする再現色プロファイル補正システム。
【請求項３】
前記インキ組合せにおいて、特色インキの網点面積率毎に、所定の色空間に分布する、プロセスインキ組合せのプロセスインキそれぞれの制御値が異なる組合せの測色値を包含する包含領域を抽出する包含領域抽出部と、
前記特色インキの制御値毎に、前記差分測色値に乗ずる調整係数を、前記包含領域の大きさに基づいて算出する調整係数算出部と
を備えることを特徴とする請求項２に記載の再現色プロファイル補正システム。
【請求項４】
前記測色値補正部が、
前記特色インキ組合せに対応した前記調整係数を、前記差分測色値に対して乗じて、前記特色インキ組合せを有する特色インキの前記予測測色値を補正する
ことを特徴とする請求項１または請求項３に記載の再現色プロファイル補正システム。
【請求項５】
調整係数算出部が、
前記包含領域の大きさが特色インキ組合せにおける制御値が「０」の場合における、所定の色空間に分布する、プロセスインキそれぞれの制御値が異なる組合せの測色値を包含する前記包含領域の大きさを基準値とし、当該基準値により前記特色インキの網点面積率毎の包含領域の大きさを除算して前記調整係数を算出する
ことを特徴とする請求項１または請求項３に記載の再現色プロファイル補正システム。
【請求項６】
前記包含領域の大きさが、前記所定の色空間における前記包含領域の体積である
ことを特徴とする請求項１、請求項３から請求項５のいずれか一項に記載の再現色プロファイル補正システム。
【請求項７】
前記包含領域の大きさが、前記所定の色空間における前記包含領域を２次元平面に投影した際の投影面の面積である
ことを特徴とする請求項１、請求項３から請求項５のいずれか一項に記載の再現色プロファイル補正システム。
【請求項８】
前記包含領域の大きさが、前記所定の色空間における前記測色値の分布を包含する直方体の対角線の長さである
ことを特徴とする請求項１、請求項３から請求項５のいずれか一項に記載の再現色プロファイル補正システム。
【請求項９】
再現色プロファイルにおける、プロセスインキの制御値の組合せであるプロセスインキ組合せと特色インキの制御値の組合せである特色インキ組合せとからなるインキ組合せによる再現色の測色値を補正する再現色プロファイル補正方法であり、
差分測色値算出部が、前記インキ組合せにおけるプロセスインキ組合せに対応して予測した再現色の測色値である予測測色値と、当該プロセスインキ組合せに対応するカラーチ
ャートの再現色を測定した測色値である測定測色値との差分である差分測色値を算出する差分測色値算出過程と、
測色値補正部が、前記差分測色値により前記インキ組合せにおける再現色の予測測色値を補正する測色値補正過程と、
包含領域抽出部が、前記インキ組合せにおいて、特色インキの網点面積率毎に、所定の色空間に分布する、プロセスインキ組合せのプロセスインキそれぞれの制御値が異なる組合せの測色値を包含する包含領域を抽出する包含領域抽出過程と、
調整係数算出部が、前記特色インキの制御値毎に、前記差分測色値に乗ずる調整係数を、前記包含領域の大きさに基づいて算出する調整係数算出過程と
を含むことを特徴とする再現色プロファイル補正方法。
【請求項１０】
再現色プロファイルにおける、プロセスインキの制御値の組合せであるプロセスインキ組合せと特色インキの制御値の組合せである特色インキ組合せとからなるインキ組合せによる再現色の測色値を補正する再現色プロファイル補正方法であり、
差分測色値算出部が、前記インキ組合せのうちプロセスインキ組合せのみに対応して予測した再現色の測色値である予測測色値と、当該プロセスインキ組合せに対応するカラーチャートの再現色を測定した測色値である測定測色値との差分である差分測色値を算出する差分測色値算出過程と、
測色値補正部が、前記差分測色値により前記インキ組合せにおける再現色の予測測色値を補正する測色値補正過程と
を含むことを特徴とする再現色プロファイル補正方法。
【請求項１１】
再現色プロファイルにおける、プロセスインキの制御値の組合せであるプロセスインキ組合せと特色インキの制御値の組合せである特色インキ組合せとからなるインキ組合せによる再現色の測色値を補正する再現色プロファイル補正システムとして、コンピュータを機能させるためのプログラムであり、
前記コンピュータを、
前記インキ組合せにおけるプロセスインキ組合せに対応して予測した再現色の測色値である予測測色値と、当該プロセスインキ組合せに対応するカラーチャートの再現色を測定した測色値である測定測色値との差分である差分測色値を算出する差分測色値算出手段、
前記差分測色値により前記インキ組合せにおける再現色の予測測色値を補正する測色値補正手段、
前記インキ組合せにおいて、特色インキの網点面積率毎に、所定の色空間に分布する、プロセスインキ組合せのプロセスインキそれぞれの制御値が異なる組合せの測色値を包含する包含領域を抽出する包含領域抽出手段、
前記特色インキの制御値毎に、前記差分測色値に乗ずる調整係数を、前記包含領域の大きさに基づいて算出する調整係数算出手段
として機能させるためのプログラム。
【請求項１２】
再現色プロファイルにおける、プロセスインキの制御値の組合せであるプロセスインキ組合せと特色インキの制御値の組合せである特色インキ組合せとからなるインキ組合せによる再現色の測色値を補正する再現色プロファイル補正システムとして、コンピュータを機能させるためのプログラムであり、
前記コンピュータを、
前記インキ組合せのうちプロセスインキ組合せのみに対応して予測した再現色の測色値である予測測色値と、当該プロセスインキ組合せに対応するカラーチャートの再現色を測定した測色値である測定測色値との差分である差分測色値を算出する差分測色値算出手段、
前記差分測色値により前記インキ組合せにおける再現色の予測測色値を補正する測色値補正手段
として機能させるためのプログラム。
【発明の詳細な説明】
【技術分野】
【０００１】
本発明は、特色ＤＤＣＰ用の再現色プロファイル補正システム、再現色プロファイル補正方法及びプログラムに関する。
【背景技術】
【０００２】
一般に、プリンタや印刷機などの出力装置に対応させ、出力装置毎の色空間での色管理をするため、出力装置が出力する印刷物における色の再現色プロファイルが作成される（例えば、特許文献１及び特許文献２参照）。この再現色プロファイルの作成の際、予め決められた各インキの制御値の組み合わせからなるカラーチャートを、プロファイル生成対象の出力装置から出力させる。
そして、カラーチャートにおいて、インキの制御値の組合せ毎のチャートの各々を測色し、この測定した測色値である測定測色値とこの測色値に対応するインキの制御値の組み合わせとの対応関係を取得し、再現色プロファイルを作成する。
【０００３】
通常、プロセスインキに対応した再現色プロファイルは、通常用いられるプロセスインキ、例えばＣ（Cyan）Ｍ（Magenta）Ｙ（Yellow）Ｋ（Black）の色成分のインキの掛け合わせによる再現色を管理する。このプロセスインキに対応した再現色プロファイルは、予め各色成分のプロセスインキの制御値の組み合わせのカラーチャートが印刷され、測定測色値が測定されて生成されている。
【０００４】
一方、特色インキをプロセスインキと組み合わせて用いる場合、特色に関しては印刷物毎に用いる特色の色が決定される。このため、プロセスインキの組合わせに対して特色インキを組み合わせる場合、プロセスインキの組み合わせのみの場合のように、予めカラーチャートを印刷し、印刷されたカラーチャートから測定測色値を得ることができない。すなわち、プロセスインキのみの組合わせの場合と異なり、特色インキを組み合わせる場合には、実際に印刷されたカラーチャートから測定測色値を求めて再現色プロファイルを作成することが現実的に行えない。
【０００５】
したがって、プロセスインキと特色インキとを組み合わせて用いる場合、この組み合わせにおける再現色の測色値の予測を行い、予測結果の予測測色値が再現色プロファイルの生成に用いられる。この再現色の予測は、例えば、特色のベタの測定測色値、網点のドットゲインなどのパラメータを、色予測システムの再現色予測モデル（あるいは色予測モデル）に対して入力し、特色インキ同士、もしくはプロセスインキと特色インキとを組み合わせた再現色の予測測色値を求めている。
そして、色予測システムが予測した予測測色値に基づいて、プロセスインキと特色インキとの組み合わせによる印刷物に対応した再現色プロファイルが生成される。
【先行技術文献】
【特許文献】
【０００６】
【特許文献１】特表２００７−５１６６６３号公報
【特許文献２】特開２００６−３２９７５３号公報
【発明の概要】
【発明が解決しようとする課題】
【０００７】
しかしながら、色予測システムは、プロセスインキのみの組合わせに対しても、プロセスインキのベタの測定測色値を用い、再現色予測モデルにより予測測色値を求める。この予測測色値は、限られた情報から再現色予測モデルにより求めるため、カラーチャートを実際に測定して得られる測定測色値とは一致しない場合がある。
すなわち、予測測色値から作成した再現色プロファイルは、カラーチャートから得た測定測色値から作成した再現色プロファイルに比較し、再現色の精度が低いことが考えられる。
このため、再現色プロファイルの精度を向上させるため、再現色予測モデルから得られたプロセスインキのみの組合わせの予測測色値を、すでにカラーチャートで測定した測定測色値と入れ替える処理が行われる。
【０００８】
このとき、プロセスインキと特色インキとを組み合わせた再現色の予測測色値は、測定測色値による補正を反映させることができず、再現色予測モデルにより予測された予測測色値のままとなる。
この結果、再現色予測モデルで予測した予測測色値と、カラーチャートから求めた測定測色値とが同一の再現色プロファイルにて混在するため、再現色プロファイルにおける測色値の整合性がくずれてしまう。すなわち、インキの組み合わせと測色値との対応関係において、特色インキとプロセスインキとの組合せによる再現色が、プロセスインキの測定測色値が反映されないため、プロセスインキのみの組合せのみの再現色と比較すると不自然な色となり整合性が崩れてしまう。
【０００９】
図９は、特色インキとプロセスインキとの再現色の比較を行う評価チャートを示す図である。図９においては、色成分Ｃ、色成分Ｍ及び色成分Ｙの各々のプロセスインキを、同一の制御値（平網、例えば網点面積率がＣ＝Ｍ＝Ｙ＝３０％）の組合せで印刷した際の測色値を再現した画像を示す図である。図９におけるチャートの上半分の領域Ａは、特色インキ（例えば、黄緑色、茶色など）を、順次、１％→５％→１０％→２０％→３０％→４０％→５０％→７０％→８０％→１００％と増加させて、プロセスインキの平網の組合せに含めた場合の測色値を再現している。領域Ｂは、プロセスインキの平網の組合せのままの測色値が再現されている。
【００１０】
図９に示したチャートに対してプロセスインキの測定測色値による補正を行った場合、領域Ｂは、プロセスインキの組合せのみであるため、測色値を予測測色値から測定測色値に補正することができ、プロセスインキの組合せにより再現される測色値を正確に表現する。
一方、領域Ａは、プロセスインキと特色インキとの組合せによる再現色の測色値であるため、プロセスインキの測定測色値に対応した予測測色値のシミュレーションが行えず、元々の再現色予測モデルにより得られる予測測色値のままとなる。
【００１１】
この結果、すでに述べたように、領域Ａにおいて特色インキの制御値が低い場合、例えば１％の場合には、ほぼプロセスインキのみの組合せの再現色の測色値であって領域Ｂと同様の測色値である。しかしながら、領域Ａがプロセスインキと特色インキとの組合せの再現色であるため、上記測定測色値に対応した補正がなされず、予測測色値のままのプロセスインキの組合せに対応している。このため、領域Ａの制御値が１％の測色値と領域Ｂの測色値とは、ほぼ同様であるはずの測色値が異なり、比較すると不自然な再現色となる。
【００１２】
本発明は、このような状況に鑑みてなされたもので、プロセスインキの組合わせのみのカラーチャートから求めた測定測色値により、プロセスインキのみの場合とプロセスインキと特色インキとの組合せの場合との各々の間の再現色の整合性がとれた補正を、予測測色値から作成した再現色プロファイルに対して行うことが可能な再現色プロファイル補正システム、再現色プロファイル補正方法及びプログラムを提供する。
【課題を解決するための手段】
【００１３】
本発明の再現色プロファイル補正システムは、再現色プロファイルにおける、プロセスインキの制御値の組合せであるプロセスインキ組合せと特色インキの制御値の組合せである特色インキ組合せとからなるインキ組合せによる再現色の測色値を補正する再現色プロファイル補正システムであり、前記インキ組合せにおけるプロセスインキ組合せに対応して予測した再現色の測色値である予測測色値と、当該プロセスインキ組合せに対応するカラーチャートの再現色を測定した測色値である測定測色値との差分である差分測色値を算出する差分測色値算出部と、前記差分測色値により前記インキ組合せにおける再現色の予測測色値を補正する測色値補正部と、前記インキ組合せにおいて、特色インキの網点面積率毎に、所定の色空間に分布する、プロセスインキ組合せのプロセスインキそれぞれの制御値が異なる組合せの測色値を包含する包含領域を抽出する包含領域抽出部と、前記特色インキの制御値毎に、前記差分測色値に乗ずる調整係数を、前記包含領域の大きさに基づいて算出する調整係数算出部とを備えることを特徴とする。
本発明の再現色プロファイル補正システムは、再現色プロファイルにおける、プロセスインキの制御値の組合せであるプロセスインキ組合せと特色インキの制御値の組合せである特色インキ組合せとからなるインキ組合せによる再現色の測色値を補正する再現色プロファイル補正システムであり、前記インキ組合せのうちプロセスインキ組合せのみに対応して予測した再現色の測色値である予測測色値と、当該プロセスインキ組合せに対応するカラーチャートの再現色を測定した測色値である測定測色値との差分である差分測色値を算出する差分測色値算出部と、前記差分測色値により前記インキ組合せにおける再現色の予測測色値を補正する測色値補正部とを備えることを特徴とする。
【００１４】
本発明の再現色プロファイル補正システムは、前記インキ組合せにおいて、特色インキの網点面積率毎に、所定の色空間に分布する、プロセスインキ組合せのプロセスインキそれぞれの制御値が異なる組合せの測色値を包含する包含領域を抽出する包含領域抽出部と、前記特色インキの制御値毎に、前記差分測色値に乗ずる調整係数を、前記包含領域の大きさに基づいて算出する調整係数算出部とを備えることを特徴とする。
【００１５】
本発明の再現色プロファイル補正システムは、前記測色値補正部が、前記特色インキ組合せに対応した前記調整係数を、前記差分測色値に対して乗じて、前記特色インキ組合せを有する特色インキの前記予測測色値を補正することを特徴とする。
【００１６】
本発明の再現色プロファイル補正システムは、調整係数算出部が、前記包含領域の大きさが特色インキの網点面積率が「０」の場合における、所定の色空間に分布する、プロセスインキそれぞれの網点面積率が異なる組合せの測色値を包含する前記包含領域の大きさを基準値とし、当該基準値により前記特色インキの網点面積率毎の包含領域の大きさを除算して前記調整係数を算出することを特徴とする。
【００１７】
本発明の再現色プロファイル補正システムは、前記包含領域の大きさが、前記所定の色空間における前記包含領域の体積であることを特徴とする。
【００１８】
本発明の再現色プロファイル補正システムは、前記包含領域の大きさが、前記所定の色空間における前記包含領域を２次元平面に投影した際の投影面の面積であることを特徴とする。
【００１９】
本発明の再現色プロファイル補正システムは、前記包含領域の大きさが、前記所定の色空間における前記測色値の分布を包含する直方体の対角線の長さであることを特徴とする。
【００２０】
本発明の再現色プロファイル補正方法は、再現色プロファイルにおける、プロセスインキの制御値の組合せであるプロセスインキ組合せと特色インキの制御値の組合せである特色インキ組合せとからなるインキ組合せによる再現色の測色値を補正する再現色プロファイル補正方法であり、差分測色値算出部が、前記インキ組合せにおけるプロセスインキ組合せに対応して予測した再現色の測色値である予測測色値と、当該プロセスインキ組合せに対応するカラーチャートの再現色を測定した測色値である測定測色値との差分である差分測色値を算出する差分測色値算出過程と、測色値補正部が、前記差分測色値により前記インキ組合せにおける再現色の予測測色値を補正する測色値補正過程と、包含領域抽出部が、前記インキ組合せにおいて、特色インキの網点面積率毎に、所定の色空間に分布する、プロセスインキ組合せのプロセスインキそれぞれの制御値が異なる組合せの測色値を包含する包含領域を抽出する包含領域抽出過程と、前記特色インキの制御値毎に、調整係数算出部が、前記差分測色値に乗ずる調整係数を、前記包含領域の大きさに基づいて算出する調整係数算出過程とを含むことを特徴とする。
本発明の再現色プロファイル補正方法は、再現色プロファイルにおける、プロセスインキの制御値の組合せであるプロセスインキ組合せと特色インキの制御値の組合せである特色インキ組合せとからなるインキ組合せによる再現色の測色値を補正する再現色プロファイル補正方法であり、差分測色値算出部が、前記インキ組合せのうちプロセスインキ組合せのみに対応して予測した再現色の測色値である予測測色値と、当該プロセスインキ組合せに対応するカラーチャートの再現色を測定した測色値である測定測色値との差分である差分測色値を算出する差分測色値算出過程と、測色値補正部が、前記差分測色値により前記インキ組合せにおける再現色の予測測色値を補正する測色値補正過程とを含むことを特徴とする。
【００２１】
本発明のプログラムは、再現色プロファイルにおける、プロセスインキの制御値の組合せであるプロセスインキ組合せと特色インキの制御値の組合せである特色インキ組合せとからなるインキ組合せによる再現色の測色値を補正する再現色プロファイル補正システムとして、コンピュータを機能させるためのプログラムであり、前記コンピュータを、前記インキ組合せにおけるプロセスインキ組合せに対応して予測した再現色の測色値である予測測色値と、当該プロセスインキ組合せに対応するカラーチャートの再現色を測定した測色値である測定測色値との差分である差分測色値を算出する差分測色値算出手段、前記差分測色値により前記インキ組合せにおける再現色の予測測色値を補正する測色値補正手段、前記インキ組合せにおいて、特色インキの網点面積率毎に、所定の色空間に分布する、プロセスインキ組合せのプロセスインキそれぞれの制御値が異なる組合せの測色値を包含する包含領域を抽出する包含領域抽出手段、前記特色インキの制御値毎に、前記差分測色値に乗ずる調整係数を、前記包含領域の大きさに基づいて算出する調整係数算出手段として機能させるためのプログラムである。
本発明のプログラムは、再現色プロファイルにおける、プロセスインキの制御値の組合せであるプロセスインキ組合せと特色インキの制御値の組合せである特色インキ組合せとからなるインキ組合せによる再現色の測色値を補正する再現色プロファイル補正システムとして、コンピュータを機能させるためのプログラムであり、前記コンピュータを、前記インキ組合せのうちプロセスインキ組合せのみに対応して予測した再現色の測色値である予測測色値と、当該プロセスインキ組合せに対応するカラーチャートの再現色を測定した測色値である測定測色値との差分である差分測色値を算出する差分測色値算出手段、前記差分測色値により前記インキ組合せにおける再現色の予測測色値を補正する測色値補正手段として機能させるためのプログラムである。
【発明の効果】
【００２２】
以上説明したように、本発明によれば、プロセスインキの組合わせのみのカラーチャートから求めた測定測色値により、プロセスインキのみの場合とプロセスインキと特色インキとの組合せの場合との各々の間の再現色の整合性がとれた補正を、予測測色値から作成した再現色プロファイルに対して行うことが可能な再現色プロファイル補正システム、再現色プロファイル補正方法及びプログラムを提供することが可能となる。
【図面の簡単な説明】
【００２３】
【図１】本発明の第１の実施形態による再現色プロファイル補正システム１の構成例を示すブロック図である。
【図２】差分測色値記憶部１６に記憶されている差分測色値テーブルの構成例を示す図である。
【図３】本実施形態におけるＬａｂ色空間での測色値の補正を説明する図である。
【図４】第１の実施形態における再現色プロファイルの補正の動作例を示すフローチャートである。
【図５】本発明の第２の実施形態による再現色プロファイル補正システム１Ａの構成例を示すブロック図である。
【図６】プロセスインキ組合せと特色インキとして黄緑色を用いた特色インキ組合せとのインキ組合せによる予測測色値の分布を示す図である。
【図７】プロセスインキ組合せと特色インキとして茶色を用いた特色インキ組合せとのインキ組合せによる予測測色値の分布を示す図である。
【図８】特色インキの制御値毎の調整係数を示す調整テーブルの構成例を示す図である。
【図９】特色インキとプロセスインキとの再現色の比較を行う評価チャートを示す図である。
【発明を実施するための形態】
【００２４】
本発明において、再現色プロファイルを構成する色予測テーブルには、プロセスインキ及び特色インキ各々のチャンネルの各々のインキの階調を制御する制御値（例えば、網点面積率など）を一定の間隔で区切った格子点上に、この格子点に対応する組合せによる印刷において再現される測色値が示されている。以下、プロセスインキ組合せは、プロセスインキにおける各色成分（ＣＭＹＫ）のインキの制御値の組合せを示している。特色インキ組合せは、１個あるいは２個以上の複数の特色インキの制御値の組合せを示している。インキ組合せは、プロセスインキ組合せと特色インキ組合せとの組合せを示している。
【００２５】
ここで、プロセスインキ組合せの測色値は、多くの制御値の組合せがカラーチャートとして印刷され、それぞれの組合せに対応するカラーチャート（以下、チャートとも言う）の測色値が測定測色値として測定されている。しかしながら、特色インキ組合せが含まれる場合、プロセスインキ組合せと特色インキ組合せからなるインキ組合せで印刷されたカラーチャートは存在しない。このため、すでに説明したように、特色インキ組合せが含まれる場合には、一般的な再現色予測モデルを用いたシミュレーションにより、プロセスインキ及び特色インキ各々のチャンネルの各々の制御値の格子点に対応するインキ組合せによる印刷で再現される予測測色値を求める。
【００２６】
＜第１の実施形態＞
以下、本発明の第１の実施形態について、図面を参照して説明する。
図１は、本発明の第１の実施形態による再現色プロファイル補正システム１の構成例を示すブロック図である。
図１において、再現色プロファイル補正システム１は、入出力部１１、差分測色値算出部１２、測色値補正部１３、再現色プロファイル記憶部１４、測定測色値記憶部１５及び差分測色値記憶部１６の各々を備えている。以下、本実施形態においては、測色値を示す空間をＬ＊ａ＊ｂ＊色空間として説明する。
【００２７】
入出力部１１は、外部装置から供給される予測測色値により求められた、再現色プロファイルを読み込み、再現色プロファイル記憶部１４に対して書き込んで記憶させる。本実施形態において、再現色プロファイルは、例えば、再現色予測モデルによるシミュレーションにより求めた予測測色値により生成されており、ＣＭＹＫによるプロセスインキ組合せ及び特色インキの組合せからなるインキ組合せと、このインキ組合わせによる再現色の予測測色値とが対応したテーブル構成（再現色プロファイルテーブル）となっている。再現色予測モデルは、本実施形態において、上記インキ組合せの予測測色値をシミュレーションにより得られるものであれば、いずれでも良い。
【００２８】
また、入出力部１１は、外部装置から供給される測定測色値（後述する測定測色値テーブル）を読み込み、測定測色値記憶部１５に対して書き込んで記憶させる。本実施形態における測定測色値は、ＣＭＹＫの各々のプロセスインキの制御値のプロセスインキ組合せを実際に印刷した再現色のチャートから、プロセスインキ組合せ毎に測定した測色値である。この測定測色値は、ＣＭＹＫの各々の制御値の組合せとこの組合せのチャートから測定した測定測色値とが対応して記載された測定測色値テーブルとして供給される。また、入出力部１１は、外部から供給される制御指令を、再現色プロファイル補正システム１の各部に出力する。
【００２９】
差分測色値算出部１２は、測定測色値記憶部１５の測定測色値テーブルから、順次、測定測色値とこの測定測色値に対応するプロセスインキ組合せ（プロセスインキ各々の制御値の組合せ）との各々を読み出す。そして、差分測色値算出部１２は、このプロセスインキ組合せと同一のプロセスインキ組合せのみのインキ組合せを、再現色プロファイル記憶部１４の再現色プロファイルテーブルから検索する。ここで、プロセスインキ組合わせのみのインキ組合わせとは、特色インキの制御値が「０」であるインキ組合わせを示している。差分測色値算出部１２は、検索されたプロセスインキ組合せの予測測色値を上記再現色プロファイルテーブルから読み出す。差分測色値算出部１２は、以下に示すように、測定測色値から予測測色値を減算し、測定測色値と予測測色値との差分である差分測色値を求める。
【００３０】
差分予測値（ΔＬ１，Δａ１，Δｂ１）
＝測定測色値（Ｌ１，ａ１，ｂ１）−予測測色値（Ｌ１＿０，ａ１＿０，ｂ１＿０）
ここで、ΔＬ１＝Ｌ１−Ｌ１＿０、Δａ＝ａ１−ａ１＿０、Δｂ＝ｂ１−ｂ１＿０である。
差分測色値算出部１２は、求めた差分測色値を、測定測色値及び予測測色値の各々とともに、プロセスインキ組合せに対応させ、差分測色値記憶部１６の差分測色値テーブルに書き込んで記憶させる。
【００３１】
図２は、差分測色値記憶部１６に記憶されている差分測色値テーブルの構成例を示す図である。差分測色値テーブルは、プロセスインキ組合せと、このプロセスインキ組合せに対応する測定測色値、予測測色値及び差分測色値の各々とが対として記憶されている。
すなわち、プロセスインキ組合せ、すなわちＣＭＹＫの各々のプロセスインキの制御値の組合せ毎に、測定測色値と予測測色値との差分である差分測色値が求められて記憶されている。
【００３２】
図１に戻り、測色値補正部１３は、差分測色値記憶部１６の差分測色値テーブルから、順次、プロセスインキ組合せ及びこのプロセスインキ組合せに対応する差分測色値（Ｌ１，ａ１，ｂ１）の各々を読み出す。そして、測色値補正部１３は、読み出したプロセスインキ組合せと同一のプロセスインキの組合せを有するインキ組合せを、再現色プロファイル記憶部１４の再現色プロファイルテーブルから検出する。測色値補正部１３は、検出されたインキ組合せ各々の予測測色値（Ｌ１＿ｎ，ａ１＿ｎ，ｂ１＿ｎ）を読み出し、読み出した予測測色値（Ｌ１＿ｎ，ａ１＿ｎ，ｂ１＿ｎ）に対して、プロセスインキ組合せの差分測色値を加算する。測色値補正部１３は、加算して求めた補正測色値（Ｌ１＿ｎ’，ａ１＿ｎ’，ｂ１＿ｎ’）を、再現色プロファイルテーブルの加算対象の予測測色値（Ｌ１＿ｎ，ａ１＿ｎ，ｂ１＿ｎ）に対して上書きし（変更し）、予測測色値の補正を行う。ここで、Ｌ１＿ｎ’＝Ｌ１＿ｎ＋ΔＬ１、ａ１＿ｎ’＝ａ１＿ｎ＋Δａ１、ｂ１＿ｎ’＝ｂ１＿ｎ＋Δｂ１である。また、ｎは、１〜ｍの整数であり、ｍは、同一のプロセスインキ組合せを有するインキ組合せの数である。
【００３３】
図３は、本実施形態におけるＬ＊ａ＊ｂ＊色空間での測色値の補正を説明する図である。図３において、測定測色値（Ｌ１，ａ１，ｂ１）と予測測色値（Ｌ１＿０，ａ１＿０，ｂ１＿０）との差分である差分測色値（ΔＬ１，Δａ１，Δｂ１）が求められる。この差分測色値（ΔＬ１，Δａ１，Δｂ１）は、Ｌ＊ａ＊ｂ＊色空間における予測測色値（Ｌ１＿０，ａ１＿０，ｂ１＿０）の座標点と、測定測色値（Ｌ１，ａ１，ｂ１）の座標点との差分ベクトルを表す。ここで、予測測色値（Ｌ１＿０，ａ１＿０，ｂ１＿０）は、インキ組合せにおける特色インキ組合せの特色インキの制御値が「０」である予測測色値を示している。すなわち、予測測色値（Ｌ１＿０，ａ１＿０，ｂ１＿０）は、カラーチャートで測定される測定測色値（Ｌ１，ａ１，ｂ１）のプロセスインキ組合せと同一のインキ組合せ（プロセスインキ組合せのみ）を有している。
【００３４】
これにより、測色値補正部１３は、上記差分測色値（ΔＬ１，Δａ１，Δｂ１）を用いて、プロセスインキ組合せと同一のプロセスインキ組合せを有するインキ組合せの予測測色値を補正測色値に補正する。すなわち、測色値補正部１３は、プロセスインキ組合せが同一であれば、特色インキの制御値が「０」でないインキ組合せ各々の予測測色値も含めて、差分測色値（ΔＬ１，Δａ１，Δｂ１）により補正する。
【００３５】
図４は、第１の実施形態における再現色プロファイルの補正の動作例を示すフローチャートである。
ステップＳ１１：
入出力部１１は、外部から供給される再現色プロファイル（再現色プロファイルテーブル）を、再現色プロファイル記憶部１４に対して書き込んで記憶させる。
【００３６】
ステップＳ１２：
入出力部１１は、外部から供給される、カラーチャートにおけるプロセスインキ組合せ毎のチャートの再現色を測定した測定測色値の各々を、測定測色値記憶部１５に書き込んで記憶させる。ここで、入出力部１１は、再現色を再現するプロセスインキ組合せと、このプロセスインキ組合せによる再現色の測定測色値とを対とした測定測色値テーブルを、測定測色値記憶部１５に書き込んで記憶させる。
【００３７】
ステップＳ１３：
差分測色値算出部１２は、測定測色値記憶部１５の測定測色値テーブルから、記載されている順番にプロセスインキ組合せと、このプロセスインキ組合せの再現色の測定測色値（Ｌ１，ａ１，ｂ１）との各々を読み出す。
そして、差分測色値算出部１２は、上記プロセスインキ組合せと同一のプロセスインキ組合せを有する、特色インキ組合せの制御値が「０」であるインキ組合せを、再現色プロファイル記憶部１４の再現色プロファイルテーブルにおいて検出する。
【００３８】
差分測色値算出部１２は、検出したインキ組合せに対応して記憶されている予測測色値（Ｌ１＿０，ａ１＿０，ｂ１＿０）を、測定測色値テーブルから読み出す。
差分測色値算出部１２は、測定測色値（Ｌ１，ａ１，ｂ１）から予測測色値（Ｌ１＿０，ａ１＿０，ｂ１＿０）を減算し、差分測色値（ΔＬ１，Δａ１，Δｂ１）を算出する。
そして、差分測色値算出部１２は、差分測色値（ΔＬ１，Δａ１，Δｂ１）を、プロセスインキ組合せと、測定測色値（Ｌ１，ａ１，ｂ１）と、予測測色値（Ｌ１＿０，ａ１＿０，ｂ１＿０）との各々と対応させ、差分測色値記憶部１６の差分測色値テーブルに書き込んで記憶させる。
【００３９】
ステップＳ１４：
差分測色値算出部１２は、測定測色値記憶部１５の測定測色値テーブルに記載されている全てのプロセスインキ組合せに対応する差分測色値の算出が終了したか否かの判定を行う。このとき、差分測色値算出部１２は、測定測色値テーブルに記載されている全てのプロセスインキ組合せに対応する差分測色値の算出が終了した場合、処理をステップＳ１５へ進める。一方、差分測色値算出部１２は、測定測色値テーブルに記載されている全てのプロセスインキ組合せに対応する差分測色値の算出が終了していない場合、処理をステップＳ１３へ進める。
【００４０】
ステップＳ１５：
測色値補正部１３は、差分測色値記憶部１６の差分測色値テーブルから、記載された順番に、プロセスインキ組合せと、このプロセスインキ組合せに対応する差分測色値との各々を読み出す。
【００４１】
ステップＳ１６：
次に、測色値補正部１３は、対象プロセスインキ組合せと同一のプロセスインキ組合せを有するインキ組合せを、再現色プロファイル記憶部１４の再現色プロファイルテーブルから検出する。ここで、対象プロセスインキ組合せは、差分測色値記憶部１６の差分測色値テーブルから、記載された順番に読み出したプロセスインキ組合せを指している。
測色値補正部１３は、対象プロセスインキ組合せと同一のプロセスインキ組合せを有するインキ組合せを、再現色プロファイルテーブルに記載された順番に検出する。
【００４２】
そして、測色値補正部１３は、検出されたインキ組合せに対応する予測測色値（Ｌ１＿ｎ，ａ１＿ｎ，ｂ１＿ｎ）を、再現色プロファイルテーブルから読み出す。
測色値補正部１３は、読み出した予測測色値（Ｌ１＿ｎ，ａ１＿ｎ，ｂ１＿ｎ）に対して、差分測色値（ΔＬ１，Δａ１，Δｂ１）を加算し、補正測色値（Ｌ１＿ｎ’，ａ１＿ｎ’，ｂ１＿ｎ’）を算出する。ここで、測色値補正部１３は、補正測色値（Ｌ１＿ｎ’，ａ１＿ｎ’，ｂ１＿ｎ’）を、再現色プロファイルテーブルの予測測色値（Ｌ１＿ｎ，ａ１＿ｎ，ｂ１＿ｎ）に上書きすることにより、再現色プロファイルテーブルの補正を行う。
【００４３】
ステップＳ１７：
測色値補正部１３は、再現色プロファイルテーブルにおいて、対象プロセスインキ組合せと同一のプロセスインキ組合せを有するインキ組合せの全ての予測測色値の補正が終了したか否かの判定を行う。
このとき、測色値補正部１３は、対象プロセスインキ組合せと同一のプロセスインキ組合せを有するインキ組合せの全ての予測測色値の補正が終了した場合、処理をステップＳ１８へ進める。一方、測色値補正部１３は、対象プロセスインキ組合せと同一のプロセスインキ組合せを有するインキ組合せの全ての予測測色値の補正が終了していない場合、処理をステップＳ１６へ進め、再現色プロファイルテーブルにおける残りのインキ組み合わせの予測測色値の補正を行う。
【００４４】
ステップＳ１８：
測色値補正部１３は、差分測色値記憶部１６の差分測色値テーブルにおける全てのプロセスインキ組合せの差分測色値の読み出しが終了したか否かの判定を行う。
そして、測色値補正部１３は、差分測色値テーブルにおける全てのプロセスインキ組合せの差分測色値の読み出しが終了した場合、再現色プロファイルの補正処理を終了する。一方、測色値補正部１３は、差分測色値テーブルにおける全てのプロセスインキ組合せの差分測色値の読み出しが終了していない場合、処理をステップＳ１５へ進め、次のプロセスインキ組合せの差分測色値を用い、予測測色値の補正の処理を行う。
【００４５】
上述したように、本実施形態においては、プロセスインキ組合せにより再現したカラーチャートの再現色を測定した測定測色値と、このプロセスインキ組合せと同一のプロセスインキ組合せを有し、かつ特色インキの制御値が「０」であるインキ組合せの予測測色値とから、差分測色値を求める。本実施形態によれば、求めた差分測色値により、この測定測色値のプロセスインキ組合せと同一のプロセスインキ組合せを有するインキ組合せの予測測色値を補正するため、プロセスインキ組合せの測定測色値によるインキ組合せにおける予測測色値の補正を、制御値が「０」でない特色インキ組合せを含むインキ組合せにも適用させることができ、プロセスインキのみの場合とプロセスインキと特色インキとの組み合わせの場合とで整合性がとれた補正を行うことが可能となる。
【００４６】
＜第２の実施形態＞
以下、本発明の第２の実施形態について、図面を参照して説明する。
図５は、本発明の第２の実施形態による再現色プロファイル補正システム１Ａの構成例を示すブロック図である。
図５において、再現色プロファイル補正システム１は、入出力部１１、差分測色値算出部１２、測色値補正部１３Ａ、再現色プロファイル記憶部１４、測定測色値記憶部１５、差分測色値記憶部１６、包含領域抽出部１７、調整係数算出部１８及び調整係数記憶部１９の各々を備えている。第１の実施形態と同様の構成については同一の符号を付し、その説明を省略する。以下、第１の実施形態と異なる構成及び動作について説明する。
また、本実施形態においては、第１の実施形態と同様に、測色値を示す空間をＬ＊ａ＊ｂ＊色空間として説明する。
【００４７】
包含領域抽出部１７は、インキ組合せにおける特色インキ組合せ毎に、Ｌ＊ａ＊ｂ＊色空間において、プロセスインキ組合せによる測色値の座標値の分布を生成する。本実施形態において、特色インキ組合せは、例えば１種類の特色インキを用いており、この１種類の特色インキの異なる制御値となる。制御値としては網点面積率を用いており、特色インキ組合わせとしては、１種類の特色インキの網点面積率を０％、４０％、７０％及び１００％の各々とした組合せである。包含領域抽出部１７は、再現色プロファイル記憶部１４の再現色プロファイルテーブルから、特色インキ組合せが同一のインキ組合せを抽出し、抽出した特色インキ組合わせの測色値を、Ｌ＊ａ＊ｂ＊色空間に対して分布させる。本実施形態においては、特色インキ組合わせが同一である全てのインキ組合せを抽出するのではなく、このインキ組合せにおけるプロセスインキ組合せにおける色成分ＣＭＹの各々のプロセスインキの網点面積率が０％、５０％、１００％のいずれかである組合せを抽出して分布させる。
【００４８】
図６は、プロセスインキ組合せと特色インキとして黄緑色を用いた特色インキ組合せとのインキ組合せによる予測測色値の分布を示す図である。ここで、黄緑色は、特色インキのなかで比較的に薄い分類の色に属している。
図６（ａ）は、黄緑色の特色インキの網点面積率が「０％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図６（ａ）は、Ｌ＊ａ＊ｂ＊色空間における予測測色値の分布を、ａ＊軸及びｂ＊軸からなる２次元ａ＊ｂ＊座標系に投影した分布図を示している。
【００４９】
図６（ｂ）は、黄緑色の特色インキの網点面積率が「４０％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図６（ｂ）は、図６（ａ）と同様に、Ｌ＊ａ＊ｂ＊色空間における予測測色値の分布を、２次元ａ＊ｂ＊座標系に投影した分布図を示している。
【００５０】
図６（ｃ）は、黄緑色の特色インキの網点面積率が「７０％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図６（ｃ）は、Ｌ＊ａ＊ｂ＊色空間における予測測色値の分布を、２次元ａ＊ｂ＊座標系に投影した分布図を示している。
【００５１】
図６（ｄ）は、黄緑色の特色インキの網点面積率が「１００％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図６（ｄ）は、Ｌ＊ａ＊ｂ＊色空間における予測測色値の分布を、２次元ａ＊ｂ＊座標系に投影した分布図を示している。
【００５２】
上記図６（ａ）から図６（ｄ）の各々により、特色インキの制御値の特色インキ組合せ毎に、プロセスインキ組合せにおけるプロセスインキの網点面積率の掛け合わせによるインキ組合せの予測測色値のバラツキの度合いを検出することができる。すなわち、黄緑色の特色インキ組合せにおける網点面積率の変化が、プロセスインキ組合せ毎の測色値の分布のバラツキの大きさに対して与える影響度合いを検出する。
【００５３】
図６において、上記影響度合いは、投影された測色値の分布を囲む最小の矩形状の包含領域を形成し、この包含領域（１０１、１０２、１０３、１０４）の対角線の長さに基づいて求められる。
本実施形態において、調整係数算出部１８は、特色インキ組合せの網点面積率が「０％」の場合の包含領域１０１の対角線の長さにより、特色インキ組合せの網点面積率が「０％」の包含領域１０１、「４０％」の包含領域１０２、「７０％」の包含領域１０３、「１００％」の包含領域１０４それぞれの対角線の長さを除算して、特色インキが黄緑色の場合における特色インキの網点面積率の変化によるプロセスインキ組合わせ毎の測色値の分布のバラツキに対する影響度合いを示す調整係数を求める。
【００５４】
図７は、プロセスインキ組合せと特色インキとして茶色を用いた特色インキ組合せとのインキ組合せによる予測測色値の分布を示す図である。ここで、茶色は、特色インキのなかで比較的に濃い分類の色に属している。
図７（ａ）は、茶色の特色インキの網点面積率が「０％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図７（ａ）は、Ｌ＊ａ＊ｂ＊色空間における予測測色値の分布を、２次元ａ＊ｂ＊座標系に投影した分布図を示している。
【００５５】
図７（ｂ）は、茶色の特色インキの網点面積率が「４０％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図７（ｂ）は、Ｌ＊ａ＊ｂ＊色空間における予測測色値の分布を、２次元ａ＊ｂ＊座標系に投影した分布図を示している。
【００５６】
図７（ｃ）は、茶色の特色インキの網点面積率が「７０％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図７（ｃ）は、Ｌ＊ａ＊ｂ＊色空間における予測測色値の分布を、２次元ａ＊ｂ＊座標系に投影した分布図を示している。
【００５７】
図７（ｄ）は、茶色の特色インキの網点面積率が「１００％」の場合において、ＣＭＹの色成分のプロセスインキの各々の網点面積率を、それぞれ０％、５０％、１００％の網点面積率のいずれかを掛け合わせて組み合わせた予測測色値が用いられている。そして、この図７（ｄ）は、Ｌ＊ａ＊ｂ＊色空間における予測測色値の分布を、２次元ａ＊ｂ＊座標系に投影した分布図を示している。
【００５８】
上記図７（ａ）から図７（ｄ）の各々により、特色インキの制御値の特色インキ組合せ毎に、プロセスインキ組合せにおけるプロセスインキの網点面積率の掛け合わせによるインキ組合せの予測測色値のバラツキの度合いを検出することができる。すなわち、茶色の特色インキ組合せにおける網点面積率の変化が、プロセスインキ組合せ毎の測色値の分布のバラツキの大きさに対して与える影響度合いを検出する。
【００５９】
図７において、上記影響度合いは、投影された分布を囲む矩形状の包含領域を形成し、この包含領域（２０１、２０２、２０３、２０４）の対角線の長さに基づいて求められる。
本実施形態において、調整係数算出部１８は、特色インキ組合せの網点面積率が「０％」の場合の包含領域２０１の対角線の長さにより、特色インキ組合せの網点面積率が「０％」の包含領域２０１、「４０％」の包含領域２０２、「７０％」の包含領域２０３、「１００％」の包含領域２０４それぞれの対角線の長さを除算して、特色インキが茶色の場合におけるプロセスインキの網点面積率の変化による測色値のバラツキに対する影響度合いを示す調整係数を求める。
【００６０】
図８は、特色インキの制御値毎の調整係数を示す調整係数テーブルの構成例を示す図である。図８（ａ）は、特色インキが黄緑色の際に、図６で述べたように、網点面積率（特色インキ制御値）を０％、２０％、４０％、６０％、８０％、１００％としたときの調整係数を求めた場合の調整係数テーブルを示している。図８（ａ）においては、黄緑色の網点面積率０％、２０％、４０％、６０％、８０％、１００％の各々に対し、それぞれの調整係数が１．００、０．９８、０．９６、０．９４、０．９１、０．８８である。特色インキの制御値が増加するに従って調整係数が低くなっており、プロセスインキの制御値の変化がインキ組合せのバラツキの大きさに与える影響度合い（反映度合い）が低下していることが解る。すなわち、プロセスインキを予測測色値から測定測色値に起き換える際、特色インキの制御値毎に、予測測色値を変化させる差分測色値（ΔＬ１，Δａ１，Δｂ１）を変化させる必要があることが解る。
【００６１】
また、図８（ｂ）は、特色インキが茶色の際に、図６で述べたように、網点面積率（特色インキ制御値）を０％、２０％、４０％、６０％、８０％、１００％としたときの調整係数を求めた場合の調整係数テーブルを示している。図８（ｂ）においては、茶色の網点面積率０％、２０％、４０％、６０％、８０％、１００％の各々に対し、それぞれの調整係数が１．００、０．８８、０．７５、０．６０、０．３３、０．０３である。黄緑色の場合と同様に、特色インキの制御値が増加するに従って調整係数が低くなっており、プロセスインキの制御値の変化がインキ組合せのバラツキの大きさに与える影響度合いが低下していることが解る。すなわち、プロセスインキを予測測色値から測定測色値に起き換える際、特色インキの制御値毎に、予測測色値を変化させる差分測色値（ΔＬ１，Δａ１，Δｂ１）を変化させる必要があることが解る。
【００６２】
図８において、特色インキが黄緑色と茶色との場合の各々の調整係数テーブルを比較すると、黄緑色に比較して茶色の網点面積率各々の調整係数が低い。
これにより、調整係数は、制御値毎のみでなく、特色インキ毎に求める必要があることが解る。
このため、本実施形態においては、特色インキ毎に、特色インキ組合せにおける制御値の組合せに応じた調整係数を求めている。また、本実施形態においては、特色インキを一種類のみ使用する例で説明したが、複数の異なる種類を掛け合わせる場合、掛け合わせる特色インキの各々の制御値の組合せ毎に調整係数を求める。例えば、黄緑色及び茶色の各々を掛け合わせる場合、黄緑色の網点面積率が０％、４０％、７０％、１００％のいずれかと、茶色の網点面積率が０％、４０％、７０％、１００％のいずれかとの特色インキ組合せ毎に、調整係数を求める。
【００６３】
図５に戻り、調整係数算出部１８は、掛け合わせる特色インキの各々の制御値の組合せである特色インキ組合せ毎に、特色インキの制御値の組合せである特色インキ組合せに対応する調整値を求め、特色インキ組合せ毎の調整係数テーブルを生成する。そして、調整係数算出部１８は、生成した調整係数テーブルを、特色インキ毎あるいは特色インキの掛け合わせ毎に、調整係数記憶部１９に対して書き込んで記憶させる。
測色値補正部１３Ａは、予測測色値を、差分測色値を用いて補正する際、補正対象の予測測色値のインキ組合せにおける特色インキ組合せに対応する調整係数を、調整係数記憶部１９の調整係数テーブルから読み出す。
【００６４】
そして、測色値補正部１３Ａは、補正対象の予測測色値に対応する差分測色値（ΔＬ１，Δａ１，Δｂ１）を読み出し、この差分測色値（ΔＬ１，Δａ１，Δｂ１）に対して上記調整係数を乗じ、調整差分測色値（ΔＬ１’，Δａ１’，Δｂ１’）を生成する。測色値補正部１３Ａは、生成した調整差分測色値を補正対象の予測測色値に対して加算する。ここで、ΔＬ１’、Δａ１’及びΔｂ１’の各々は、ΔＬ１、Δａ１、Δｂ１それぞれに対して調整係数を乗じた乗算結果である。測色値補正部１３Ａは、加算して求めた補正測色値（Ｌ１＿ｎ’，ａ１＿ｎ’，ｂ１＿ｎ’）を、再現色プロファイル記憶部１４の再現色プロファイルテーブルの補正対象の予測測色値（Ｌ１＿ｎ，ａ１＿ｎ，ｂ１＿ｎ）に対して上書きし、予測測色値の補正を行う。
【００６５】
上述したように、本実施形態においては、インキ組合せの各予測測色値を差分測色値により補正する場合、予め特色インキ組合せ毎に調整係数を求め、このインキ組合せの特色インキ組合せに対応する調整係数を、プロセスインキ組合せに対応する差分測色値に乗じ、調整差分測色値を生成している。これより、本実施形態によれば、算出した調整差分測色値によって予測測色値を補正するため、特色インキの組合せに対応したプロセスインキの変化の影響度を、補正測色値に対して反映させることができ、第１の実施形態に比較して、プロセスインキのみの場合とプロセスインキと特色インキとの組み合わせの場合とで、より高い整合性がとれた補正を行うことが可能となる。
【００６６】
上述したように、本実施形態において、調整係数算出部１８は、調整係数を求める際、特色インキの網点面積率におけるプロセスインキ組合せ毎のＬ＊ａ＊ｂ＊色空間における予測測色値の分布を、２次元ａ＊ｂ＊座標系に投影した分布を包含する矩形状の包含領域の対角線の長さを用いている。
しかしながら、調整係数算出部１８は、上記矩形状の包含領域の面積、あるいは包含領域の周囲の長さを用いて調整係数を求めるように構成しても良い。
また、調整係数算出部１８は、Ｌ＊ａ＊ｂ＊色空間における予測測色値の分布を包含する最小の直方体形状を包含領域として、この包含領域の体積、表面積あるいは対角線の長さを用いて調整係数を求めるように構成しても良い。
【００６７】
また、調整係数算出部１８は、Ｌ＊ａ＊ｂ＊色空間に分布した予測測色値が全て包含される最小の３次元曲面を包含領域として、この包含領域の体積、表面積あるいは長径の長さ（主軸の長さ）を用いて調整係数を求めるように構成しても良い。
また、調整係数算出部１８は、Ｌ＊ａ＊ｂ＊色空間に分布した予測測色値が全て包含される最小の３次元曲面を２次元ａ＊ｂ＊座標系に投影し、投影された２次元形状を包含領域として、この包含領域の面積、周囲の長さあるいは長径の長さを用いて調整係数を求めるように構成しても良い。
【００６８】
また、第１の実施形態及び第２の実施形態においては、ステップＳ１２などで記載しているように、入出力部１１が、対象とするプロセスインキ組合わせ毎のカラーチャートを実際に測定し、この測定した測定値を測定測色値として読み込む構成としている。しかしながら、必ずしも、第１の実施形態及び第２の実施形態に記載したように、全てのプロセスインキ組合わせの測色値を測定し、入出力部１１がこの測色値を読み込む必要はない。例えば、限られた（比較的多い）数のカラーチャート（一例としてＩＴ８（a set of American National Standards Institute standards for color communications and control specifications）ターゲットの１０００色程度）を測定し、この測定した測色値を元にして、一般的な手法によりＣＭＹＫプロファイルを作成する。そして、入出力部１１がこのＣＭＹＫプロファイルを読み込み、このプロセスインキの組合わせに対応した測色値をＣＭＹＫプロファイルから読出し、この読み出した測色値を測定測色値として用いる構成としても良い。
【００６９】
なお、本発明における図１の再現色プロファイル補正システム１及び図５の再現色プロファイル補正システム１Ａの各々の機能を実現するためのプログラムをコンピュータ読み取り可能な記録媒体に記録して、この記録媒体に記録されたプログラムをコンピュータシステムに読み込ませ、実行することにより再現色プロファイルにおける測色値の補正の制御を行ってもよい。なお、ここでいう「コンピュータシステム」とは、ＯＳや周辺機器等のハードウェアを含むものとする。
また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００７０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００７１】
１，１Ａ…再現色プロファイル補正システム
１１…入出力部
１２…差分測色値算出部
１３，１３Ａ…測色値補正部
１４…再現色プロファイル記憶部
１５…測定測色値記憶部
１６…差分測色値記憶部
１７…包含領域抽出部
１８…調整係数算出部
１９…調整係数記憶部
１０１，１０２，１０３，１０４，２０１，２０２，２０３，２０４…包含領域
【図１】
0006717058.tif 000002
【図２】
0006717058.tif 000003
【図３】
0006717058.tif 000004
【図４】
0006717058.tif 000005
【図５】
0006717058.tif 000006
【図６】
0006717058.tif 000007
【図７】
0006717058.tif 000008
【図８】
0006717058.tif 000009
【図９】
0006717058.tif 000010